(57)【要約】【課題】  歩行するのに杖のような補助具が必要な老人や負傷者等が、暗い夜道等でも安全に歩行することができる照明機器付き補助具を提供する。【解決手段】  長さが一定又は可変の長尺部材４を有し、長尺部材４におけるこの長さ方向の接地側の端部又はこの端部の近傍に、この端部の周囲を照らす照明機器１０が設けられるようにした。【効果】  歩行するのに杖のような補助具が必要な老人や負傷者等が、暗い夜道等でも安全に歩行することができる。【選択図】      図１
0003115433.tif 000002
【実用新案登録請求の範囲】
【請求項１】
長さが一定又は可変の長尺部材を有し、
前記長尺部材におけるこの長さ方向の接地側の端部又はこの端部の近傍に、この端部の周囲を照らす照明機器が設けられていることを特徴とする照明機器付き補助具。
【請求項２】
長さが一定又は可変の長尺部材を有し、
前記長尺部材におけるこの長さ方向の接地側の端部とは反対側の端部に、この長尺部材の長さ方向と略直角の方向に光を放射する照明機器が設けられていることを特徴とする照明機器付き補助具。
【請求項３】
前記長尺部材の接地側の端部に滑り止め部が設けられ、
前記滑り止め部は、前記長尺部材におけるその長さ方向に直角の断面積よりも大きい接地面積を有するように形成されていることを特徴とする請求項１又は２に記載の照明機器付き補助具。
【考案の詳細な説明】
【技術分野】
【０００１】
本考案は、例えば杖（ステッキ）とか松葉杖等の補助具に関し、詳しくは進行方向や足元等を照らし、暗い夜道等でも安心して歩行することができるような照明機器付き補助具に関するものである。
【背景技術】
【０００２】
歩行の際に杖のような補助具が必要な老人や負傷者等は、他の通行人や走行車両等が突然接近してきたような場合には、このような咄嗟の事態に対処することができず、実際にこのような他の通行人や走行車両等と接触したり衝突したりするおそれがあるだけでなく、接触や衝突を回避しようとしてバランスを崩したり転倒したりするおそれがある。
【０００３】
このため、歩行の際に杖のような補助具が必要な老人や負傷者等は、周囲の状況に自ら注意を払う必要があると共に、このような咄嗟の事態が生じないようにするために、他の通行人や走行車両等に自分の存在を確実に認識してもらう必要があった。また、杖のような補助具が必要な老人や負傷者等は、歩行時にバランスを崩したり転倒したりしないようにするため、自分の足元や杖の接地位置にも注意を払う必要があった。
【考案の開示】
【考案が解決しようとする課題】
【０００４】
しかしながら、杖のような補助具が必要な老人や負傷者等は、暗い夜道等では他の通行人や走行車両等に対して自分の存在を十分に認識させることができないので、他の通行人や走行車両等が気付かずに突然接近してくるようなことがあり、このような場合には、この他の通行人や走行車両等と接触したり衝突したりする危険性が増加するだけでなく、接触や衝突を回避する際にバランスを崩したり転倒したりする危険性も増加するという問題があった。
【０００５】
また、杖のような補助具が必要な老人や負傷者等は、暗い夜道等では自分の足元や杖の接地場所に起伏等があっても、これらを十分に確認することができないため、バランスを崩したり転倒したりする危険性があるという問題があった。
【０００６】
そこで本考案は、上記問題点に鑑みて、歩行するのに杖のような補助具が必要な老人や負傷者等が、暗い夜道等でも安全に歩行することができる照明機器付き補助具を提供することを課題とするものである。
【課題を解決するための手段】
【０００７】
上記課題を解決するために、本考案による照明機器付き補助具は、
長さが一定又は可変の長尺部材を有し、
前記長尺部材におけるこの長さ方向の接地側の端部又はこの端部の近傍に、この端部の周囲を照らす照明機器が設けられていることを特徴とするものである。
【０００８】
また、上記課題を解決するために、本考案による照明機器付き補助具は、
長さが一定又は可変の長尺部材を有し、
前記長尺部材におけるこの長さ方向の接地側の端部とは反対側の端部に、この長尺部材の長さ方向と略直角の方向に光を放射する照明機器が設けられていることを特徴とするものである。
【０００９】
また、本考案による照明機器付き補助具は、
前記長尺部材の接地側の端部に滑り止め部が設けられ、
前記滑り止め部は、前記長尺部材におけるその長さ方向に直角の断面積よりも大きい接地面積を有するように形成されていることを特徴とするものである。
【考案の効果】
【００１０】
このような本考案の照明機器付き補助具によれば、歩行するのに杖のような補助具が必要な老人や負傷者等が、暗い夜道等でも安全に歩行することができる。
【考案を実施するための最良の形態】
【００１１】
以下、本考案に係る照明機器付き補助具の実施の形態について、図面に基づいて具体的に説明する。
図１及び図２は、本考案の第１の実施の形態に係る照明機器付き杖２（照明機器付き補助具に相当）について説明するために参照する図である。
【００１２】
本実施の形態に係る照明機器付き杖２は、図１及び図２に示すように、一定長さを有する長尺部材４と、この長尺部材４の一方の端部（図中上端部）に、長尺部材４と一体的に形成された柄６を備えている。この柄６は、その長さ方向が長尺部材４の長さ方向と略直角の方向を向くように設けられている。また、この照明機器付き杖２には、長尺部材４における柄６と反対側の端部（接地側の端部、図中下端部）に、ゴム材質の滑り止め部８が設けられている。
【００１３】
滑り止め部８は、その直径寸法（図１及び図２中、寸法Ｄ１）が、長尺部材４の直径寸法（図１及び図２中、寸法Ｄ２）よりも大きくなるように形成されている。したがって、滑り止め部８は、長尺部材４の断面積よりも大きい面積で接地するようになっている。
【００１４】
また、照明機器付き杖２は、図１に示すように、第１照明機器１０、第２照明機器１２、及び第３照明機器１４を備えている。第１照明機器１０は、長尺部材４の一部を構成しており、この長尺部材４の長さ方向における滑り止め部８寄りの位置に設けられている。
【００１５】
この第１照明機器１０は、透光性を有する円筒形状の透光部材１６と、この透光部材１６の内部に配置される光源１８で構成されており、透光部材１６の外径寸法は、長尺部材４におけるこの透光部材１６を除く他の長さ部分の直径寸法（図１中、寸法Ｄ２）と同じ大きさになっている。光源１８としては、豆電球やＬＥＤ（発光ダイオード）等が用いられる。第１照明機器１０は、このような構造を有していることにより、この第１照明機器１０を点灯するとその周囲を照らすようになっている。
【００１６】
また、第２照明機器１２及び第３照明機器１４のそれぞれは、柄６の長さ方向の両端部に設けられている。この第２照明機器１２及び第３照明機器１４のそれぞれは、透光性を有する透光部材２０と、この透光部材２０の内部に配置される光源２２で構成されている。第２照明機器１２及び第３照明機器１４のそれぞれの透光部材２０は、円筒形状を有しており、柄６の長さ方向における両外側の端面が閉止されるように形成されている。
【００１７】
そして、第２照明機器１２及び第３照明機器１４のそれぞれは、透光部材２０の閉止された端面を透過した光が、柄６の長さ方向と略平行方向、すなわち照明機器付き杖２の長さ方向と略直角の方向に光を放射するようになっている（図１中、矢印Ａ，Ｂ）。
【００１８】
また、第１照明機器１０、第２照明機器１２、及び第３照明機器１４は、長尺部材４におけるその長さ方向の柄６寄りの位置に設けられたスイッチ２４のボタン２４ａ，２４ｂを操作してＯＮとＯＦＦの切り換えを行なうことにより、各照明装置を点灯させたり消灯させたりすることができるようになっている。
【００１９】
このような本実施の形態に係る照明機器付き杖２によれば、その第１照明機器１０が、足元やこの照明機器付き杖２の接地位置を明るく照らすようになると共に、第２照明機器１２及び第３照明機器１４から放射された光が、他の通行人や走行車両等により確実に認識されるため、この照明機器付き杖２を利用する老人や負傷者等は、暗い夜道等でも安全に歩行することができる。
【００２０】
また、本実施の形態に係る照明機器付き杖２は、歩行中であってもその第２照明機器１２又は第３照明機器１４を、例えば進行方向に向けて照らすことができるので、暗い夜道等でも安全に歩行することができる。
【００２１】
また、従来の杖（不図示）では、その長さ方向における接地側の端部にゴム製の滑り止め部材が設けられているとしても、この滑り止め部材の接地面積が、この滑り止め部材と杖の長さ方向で互いに隣り合う長尺部材の断面積と、ほぼ同じ大きさで形成されていたため滑り易かったのに対して、本実施の形態に係る照明機器付き杖２は、その滑り止め部８の接地面積が長尺部材４の断面積よりも大きくなるように形成されているので、滑り止め効果を向上させることができる。
【００２２】
次に、図３に基づいて、本考案の第２の実施の形態に係る照明機器付き松葉杖３０（照明機器付き補助具に相当）について説明する。この図に示す照明機器付き松葉杖３０は、前記第１の実施の形態に係る照明機器付き杖２と同様の部分には同じ符号を付して説明し、同様の構成についての重複する説明は省略するものとする。
【００２３】
また、図３に示すように、本実施の形態に係る照明機器付き松葉杖３０の長尺部材４０は、前記第１の実施の形態に係る照明機器付き杖２の長尺部材４が棒状に形成されていたのと異なり松葉状に形成されているが、前記第１の実施の形態に係る長尺部材４と同様の役割を果たす部分であるため、やはり長尺部材４０と呼ぶこととする。
【００２４】
本実施の形態に係る照明機器付き松葉杖３０は、その長さ方向における滑り止め部８とは反対側の端部（図中上端部）に、この照明機器付き松葉杖３０の使用者の脇の下に挟まれる支持部材３２を有している。そして、この支持部材３２は、長尺部材４０の長さ方向と略直角方向に長さを有しており、その両端部に第２照明機器１２及び第３照明機器１４が設けられている。
【００２５】
このような本実施の形態に係る照明機器付き松葉杖３０によれば、前記第１の実施の形態と同様に、その第１照明機器１０が、足元やこの照明機器付き松葉杖３０の接地位置を明るく照らすようになると共に、第２照明機器１２及び第３照明機器１４から放射された光が、他の通行人や走行車両等により確実に認識されるようになるため、この照明機器付き松葉杖３０を利用する老人や負傷者等は、暗い夜道等でも安全に歩行することができる。
【００２６】
また、本実施の形態に係る照明機器付き松葉杖３０は、使用時において支持部材３２が脇の下に挟まれると、この支持部材３２の長さ方向が必然的に略進行方向を向くようになるので、第２照明機器１２及び第３照明機器１４が略進行方向に光を放射するようになるため、照明機器付き松葉杖３０を利用する老人や負傷者等は暗い夜道等でも安全に歩行することができる。
【００２７】
また、従来の松葉杖（不図示）では、その長さ方向における接地側の端部にゴム製の滑り止め部材が設けられているとしても、この滑り止め部材の接地面積が、この滑り止め部材と隣り合う長尺部材の断面積とほぼ同じ大きさで形成されていたため滑り易かったのに対して、本実施の形態に係る照明機器付き松葉杖３０は、前記第１の実施の形態と同様に、その滑り止め部８の接地面積が長尺部材４０の断面積よりも大きくなるように形成されているので、滑り止め効果を向上させることができる。
【００２８】
なお、前記第１及び第２の実施の形態に係る、照明機器付き杖２及び照明機器付き松葉杖３０は、その長さ方向の接地側の端部に滑り止め部８が設けられると共に、第１照明機器１０が、長尺部材４における滑り止め部８寄りの位置に設けられていたが、滑り止め部８を設けないようにすると共に、第１照明機器１０を長尺部材４の長さ方向における接地側の端部に設けるようにしても良い。
【００２９】
また、前記第１及び第２の実施の形態に係る、照明機器付き杖２及び照明機器付き松葉杖３０は、その第１照明機器１０が、長尺部材４における滑り止め部８寄りの位置に設けられていたが、長尺部材４における長さ方向の略中央の位置や、柄６又は支持部材３２寄りの位置に設けられていてもよい。
【００３０】
また、前記第１及び第２の実施の形態において、第１照明機器１０、第２照明機器１２、及び第３照明機器１４のそれぞれは、スイッチ２０をＯＦＦからＯＮに切り換えることにより「点灯」するようになっていたが、「点滅」するようになっていてもよい。
【００３１】
また、前記第１及び第２の実施の形態に係る、照明機器付き杖２及び照明機器付き松葉杖３０のそれぞれは、長尺部材４，４０の長さが一定であったが、この長尺部材４，４０の長さを調節する機構を備えて長さが可変になっていてもよい。
【００３２】
また、前記第１及び第２の実施の形態に係る、照明機器付き杖２及び照明機器付き松葉杖３０のそれぞれにおいて、柄６及び支持部材３２は、長尺部材４，４０に一体的に設けられていたが、それらに着脱自在に設けられるようにしてもよい。
【００３３】
また、前記第１及び第２の実施の形態に係る、照明機器付き杖２及び照明機器付き松葉杖３０のそれぞれにおいて、滑り止め部８はゴム材質以外に、摩擦係数が高い材質のものであれば、プラスチックその他どのような材質のものを用いてもよい。
【００３４】
また、前記第１及び第２の実施の形態に係る、照明機器付き杖２及び照明機器付き松葉杖３０のそれぞれにおいて、第１照明機器１０、第２照明機器１２及び第３照明機器１４を全て設けていたが、第１照明機器１０だけを設けるか、又は第２照明機器１２及び第３照明機器１４だけを設けるようにしてもよい。
【００３５】
また、本考案は、前記第１及び第２の実施の形態に限定されるものではなく、同様の技術的思想に基づいて、前記第１及び第２の実施の形態に係る、照明機器付き杖２及び照明機器付き松葉杖３０以外の、他の形態の杖や松葉杖、或いは他の補助具に対しても適用することができることはいうまでもない。
【図面の簡単な説明】
【００３６】
【図１】本考案の第１の実施の形態に係る照明機器付き杖２を示す正面図である。
【図２】本考案の第１の実施の形態に係る照明機器付き杖２を示す側面図である。
【図３】本考案の第２の実施の形態に係る照明機器付き松葉杖３０を示す正面図である。
【符号の説明】
【００３７】
２  照明機器付き杖
４  長尺部材
６  柄
８  滑り止め部
１０  第１照明機器
１２  第２照明機器
１４  第３照明機器
１６  透光部材
１８  光源
２０  透光部材
２２  光源
２４  スイッチ
２４ａ，２４ｂ  ボタン
３０  照明機器付き松葉杖
３２  支持部材
４０  長尺部材
【図１】
0003115433.tif 000003
【図２】
0003115433.tif 000004
【図３】
0003115433.tif 000005